(57)【要約】【課題】開口部が設けられるパネル体の製造作業の容易化を図り、製造コストを低減できるパネル体の開口部構造を提供すること。【解決手段】パネル体であるドア１０は、表面部材２１，２２と、これらの表面部材に形成された開口部１１の内部に、この開口部の全部又は略全部を閉塞した閉塞部材となって配置された透光部材１３と、表面部材２１，２２の間に配置され、これらの表面部材と結合されて開口部１１の周辺部に配置された開口部フレーム２３とを含んで構成され、開口部フレーム２３は、幅方向がドア１０の厚さ方向である本体部２３Ａと、この本体部の両端部のうち、少なくとも一方の端部に設けられ、開口部１１の内側へ屈曲し、表面部材２１に沿って延出する屈曲部２３Ｂとを有し、この屈曲部２３Ｂの先端部２３Ｄと、表面部材２１における開口部１１の縁部２１Ａとが、コ字形状又は略コ字形状の額縁部材３０で挟着されて覆われている。【選択図】図２
2018168620.tif 000002
【特許請求の範囲】
【請求項１】
パネル体の表裏両面を形成する２枚の表面部材と、これらの表面部材に形成された開口部の内部に、この開口部の全部又は略全部を閉塞して配置された閉塞部材と、前記２枚の表面部材の間に配置されているとともに、これらの表面部材と結合されて前記開口部の周辺部に配置されている開口部フレームとを含んで構成されているパネル体の開口部構造において、
前記開口部フレームは、幅方向が前記パネル体の厚さ方向となっている本体部と、この本体部の幅方向の両端部のうち、少なくとも一方の端部に設けられていて、前記開口部の内側へ屈曲し、前記２枚の表面部材のうち、少なくとも一方の表面部材に沿って延出している屈曲部とを有し、この屈曲部の先端部と、前記一方の表面部材における前記開口部の縁部とが、前記パネル体の厚さ方向と直交する断面形状が前記開口部の外側に向かって開口したコ字形状又は略コ字形状となっている額縁部材により挟着されて覆われており、この額縁部材が、前記パネル体の厚さ方向が幅方向となっているベース部と、このベース部の幅方向の両端部から前記開口部の外側へ延出している第１及び第２延出部とを有していることを特徴とするパネル体の開口部構造。
【請求項２】
請求項１に記載のパネル体の開口部構造において、前記額縁部材は金属板で形成されていることを特徴するパネル体の開口部構造。
【請求項３】
請求項２に記載のパネル体の開口部構造において、前記第１延出部は前記パネル体の厚さ方向外側に配置され、前記第２延出部は前記パネル体の厚さ方向内側に配置されているとともに、前記第１延出部の先端部には、前記開口部の内側へ折り返された折り返し部が設けられており、この折り返し部が、前記第１延出部と前記一方の表面部材との間に配置されていることを特徴とするパネル体の開口部構造。
【請求項４】
請求項２又は３に記載のパネル体の開口部構造において、前記金属板はばね性を有する材料であることを特徴するパネル体の開口部構造。
【請求項５】
請求項１に記載のパネル体の開口部構造において、前記額縁部材は、アルミ又はアルミ合金で形成されていることを特徴するパネル体の開口部構造。
【請求項６】
請求項１に記載のパネル体の開口部構造において、前記額縁部材は、金属板製の基材と、この基材の表面を覆っている化粧材とにより形成されていることを特徴するパネル体の開口部構造。
【請求項７】
請求項６に記載のパネル体の開口部構造において、前記化粧材は、前記基材における前記第１及び第２延出部の先端面も覆っていることを特徴とするパネル体の開口部構造。
【請求項８】
請求項６又は７に記載のパネル体の開口部構造において、前記基材の前記金属板はばね性を有する材料であることを特徴とするパネル体の開口部構造。
【請求項９】
請求項１〜８のいずれかに記載のパネル体の開口部構造において、前記第１延出部と第２延出部の前記ベース部からの延出長さが異なっていることを特徴とするパネル体の開口部構造。
【請求項１０】
請求項９に記載のパネル体の開口部構造において、前記パネル体の厚さ方向外側に配置されている前記第１延出部は、前記パネル体の厚さ方向内側に配置されている第２延出部よりも前記ベース部からの延出長さが短くなっていることを特徴とするパネル体の開口部構造。
【請求項１１】
請求項１〜１０のいずれかに記載のパネル体の開口部構造において、前記パネル体は室外と室内とを仕切る箇所に配置されており、前記開口部フレームの前記屈曲部は、前記開口部フレームの前記本体部の幅方向の両端部のうち、前記室外側の端部のみに設けられていることを特徴とするパネル体の開口部構造。
【請求項１２】
請求項１〜１０のいずれかに記載のパネル体の開口部構造において、前記屈曲部は、前記開口部フレームの前記本体部の幅方向の両端部のうち、一方の端部に設けられている第１屈曲部であり、前記開口部フレームの前記本体部の幅方向の両端部のうち、前記第１屈曲部とは反対側の端部には、前記開口部の外側へ屈曲している第２屈曲部が設けられていることを特徴とするパネル体の開口部構造。
【発明の詳細な説明】
【技術分野】
【０００１】
本発明は、パネル体に設けられる開口部構造に係り、例えば、開き戸装置や引き戸装置のための扉、あるいは、固定式や可動式の間仕切りパネル体等のためのパネル体に、採光用や通気用等のための開口部を形成する際に利用できるものである。
【背景技術】
【０００２】
下記の特許文献１及び２には、開き戸装置や引き戸装置のための扉等となっているパネル体に採光用の開口部を設けることが示されている。これらの特許文献に示されている開口部構造は、パネル体の表裏両面を形成する２枚の表面部材と、これらの表面部材に形成された開口部の内部に、この開口部の全部又は略全部を閉塞して配置された閉塞部材となっているガラス板と、２枚の表面部材の間に配置されているとともに、これらの表面部材と結合されて開口部の周辺部に配置されている開口部フレームとを含んで構成されている。そして、表面部材における開口部の縁部は、開口部の外側へ折り返された折り返し部となっており、この折り返し部と表面部材とにより開口部フレームを挟着するようにしている。
【先行技術文献】
【特許文献】
【０００３】
【特許文献１】特許第４９３７８９０号公報
【特許文献２】特許第５４５０００３号公報
【発明の概要】
【発明が解決しようとする課題】
【０００４】
以上のパネル体の開口部構造によると、表面部材には、開口部の縁部において、表面部材と共に開口部フレームを挟着するために、開口部の外側へ折り返された折り返し部を設けなければならず、これによると、大型で高価の折り曲げ装置等を用いた作業を行うことになり、パネル体の製造コストを低減することは難しい。
【０００５】
本発明の目的は、開口部が設けられるパネル体を製造するための作業の容易化を図ることができ、製造コストを低減できるようになるパネル体の開口部構造を提供するところにある。
【課題を解決するための手段】
【０００６】
本発明に係るパネル体の開口部構造は、パネル体の表裏両面を形成する２枚の表面部材と、これらの表面部材に形成された開口部の内部に、この開口部の全部又は略全部を閉塞して配置された閉塞部材と、前記２枚の表面部材の間に配置されているとともに、これらの表面部材と結合されて前記開口部の周辺部に配置されている開口部フレームとを含んで構成されているパネル体の開口部構造において、前記開口部フレームは、幅方向が前記パネル体の厚さ方向となっている本体部と、この本体部の幅方向の両端部のうち、少なくとも一方の端部に設けられていて、前記開口部の内側へ屈曲し、前記２枚の表面部材のうち、少なくとも一方の表面部材に沿って延出している屈曲部とを有し、この屈曲部の先端部と、前記一方の表面部材における前記開口部の縁部とが、前記パネル体の厚さ方向と直交する断面形状が前記開口部の外側に向かって開口したコ字形状又は略コ字形状となっている額縁部材により挟着されて覆われており、この額縁部材が、前記パネル体の厚さ方向が幅方向となっているベース部と、このベース部の幅方向の両端部から前記開口部の外側へ延出している第１及び第２延出部とを有していることを特徴とするものである。
【０００７】
このパネル体の開口部構造では、開口部フレームの屈曲部の先端部と、前記一方の表面部材における開口部の縁部とが、パネル体の厚さ方向と直交する断面形状が開口部の外側に向かって開口したコ字形状又は略コ字形状となっている額縁部材により挟着されて覆われており、この額縁部材が、パネル体の厚さ方向が幅方向となっているベース部と、このベース部の幅方向の両端部から開口部の外側へ延出している第１及び第２延出部とを有するものとなっているため、表面部材には、開口部の縁部において、表面部材と共に開口部フレームの屈曲部を挟着するために折り返された折り返し部を設けることが不要になり、このため、大型で高価の折り曲げ装置等を用いた作業を省略でき、開口部が設けられるパネル体の製造コストを低減できるようになる。
【０００８】
以上の本発明において、額縁部材は任意の材料により形成することができる。その一例は、額縁部材を金属板で形成することである。
【０００９】
このように額縁部材を金属板で形成する場合であって、第１延出部をパネル体の厚さ方向外側に配置し、第２延出部をパネル体の厚さ方向内側に配置する場合には、第１延出部の先端部に、開口部の内側へ折り返された折り返し部を設け、この折り返し部を、第１延出部と前記一方の表面部材との間に配置することが好ましい。
【００１０】
これによると、額縁部材を、切断機等で切断された金属板により形成しても、パネル体の厚さ方向外側に配置される第１延出部の先端部に、開口部の内側へ折り返された折り返し部が設けられるため、金属板の切断機等で切断された面がパネル体の外部に露出することをなくすことができる。
【００１１】
また、額縁部材を金属板で形成する場合には、ばね性を有する金属板を額縁部材の材料として選択してもよい。
【００１２】
これによると、ばね性を有する額縁部材が、開口部フレームの屈曲部の先端部と、表面部材における開口部の縁部とを一層有効に挟着するため、額縁部材の開口部からの脱落をより確実に防止することができる。
【００１３】
また、額縁部材をアルミ又はアルミ合金で形成してもよい。
【００１４】
これによると、額縁部材をアルミ又はアルミ合金の押し出し成形品又は引き抜き成形品で形成できるようになるため、額縁部材を容易かつ安価に製造できる。
【００１５】
また、額縁部材を、金属板製の基材と、この基材の表面を覆う化粧材とにより形成してもよい。
【００１６】
これによると、金属板製の基材に錆等が生ずることを化粧材により防止できる。
【００１７】
また、上述のように額縁部材を、金属板製の基材と、この基材の表面を覆う化粧材とにより形成する場合には、化粧材により、基材における前記第１及び第２延出部の先端面も覆うことが好ましい。
【００１８】
これによると、基材を、切断機等で切断された金属板で形成しても、金属板の切断機等で切断された面が外部に露出することを化粧材でなくすことができる。
【００１９】
また、このような基材の金属板は、ばね性を有するものとすることが好ましい。
【００２０】
これによると、ばね性を有する基材が、開口部フレームの屈曲部の先端部と、表面部材における開口部の縁部とを一層有効に挟着するため、額縁部材の開口部からの脱落をより確実に防止することができる。
【００２１】
本発明において、額縁部材の第１延出部と第２延出部のベース部からの延出長さは、同じとしてもよく、あるいは、異ならせてもよい。
【００２２】
額縁部材の第１延出部と第２延出部のベース部からの延出長さを異ならせると、額縁部材を開口部に圧入等で装着する際に、額縁部材の取り扱いの容易化等を実現できる。
【００２３】
また、このように額縁部材の第１延出部と第２延出部のベース部からの延出長さを異ならせる場合には、パネル体の厚さ方向外側に配置される第１延出部のベース部からの延出長さを、パネル体の厚さ方向内側に配置される第２延出部のベース部からの延出長さよりも短くしてもよい。
【００２４】
これによると、額縁部材の第１延出部により隠される表面部材の面積が小さくなり、外部に露出する表面部材の面積を大きくできるため、この表面部材に、本発明に係るパネル体等に関する表示物や装飾物等を取り付ける際に、これらを取り付けるために必要とされる充分に大きい面積を確保できるようになる。
【００２５】
さらに、以上の本発明において、開口部フレームと、開口部フレームの屈曲部と、額縁部材は、表面部材に形成されている開口部の全周に設けてもよく、あるいは、開口部の略全周や開口部の所定箇所に設けるなどして、一部の部分では省略してもよい。
【００２６】
以上説明した本発明は任意のパネル体に適用することができ、すなわち、本発明に係るパネル体は、開き装置のドア（開き戸）でもよく、引き戸装置の扉（引き戸）でもよく、空間を仕切るための固定式や可動式の間仕切りパネル体等でもよい。
【００２７】
また、本発明に係るパネル体が、開き装置のドアや引き戸装置の扉のように、室外と室内とを仕切る箇所に配置されるものである場合には、開口部フレームの前述した屈曲部及び額縁部材をパネル体の室外側にのみに設けてもよい。
【００２８】
さらに、開口部フレームの前記屈曲部を、開口部フレームの本体部の幅方向の両端部のうち、一方の端部に設けられている第１屈曲部とするとともに、開口部フレームの本体部の幅方向の両端部のうち、第１屈曲部とは反対側の端部には、開口部の外側へ屈曲している第２屈曲部を設けてもよい。
【００２９】
また、以上の本発明において、パネル体に設ける開口部は任意の目的のためのものでよく、すなわち、開口部は採光用のためのものでもよく、通気性を確保するためのものでもよい。開口部が採光用のためのものである場合には、この開口部の内部に、開口部の全部又は略全部を閉塞して配置される前記閉塞部材は、透明又は半透明等のガラス板等による透光部材であり、開口部が通気性を確保するためのものである場合には、この閉塞部材は、例えば、ルーバーやガラリである。
【００３０】
さらに、開口部の正面視の形状は任意の形状でよく、すなわち、この開口部は、正面視において、長方形や正方形、菱形を含む四角形のものでもよく、円形のものでもよく、半円形等のものでもよい。
【発明の効果】
【００３１】
本発明によると、開口部が設けられるパネル体を製造するための作業の容易化を図ることができ、製造コストを低減できるという効果を得られる。
【図面の簡単な説明】
【００３２】
【図１】図１は、本発明の一実施形態に係るパネル体となっている開き装置のドアを示す正面図である。
【図２】図２は、図１のＳ２−Ｓ２線断面図である。
【図３】図３は、本発明の第１別実施形態を示す図２と同様の図である。
【図４】図４は、本発明の第２別実施形態を示す図２と同様の図である。
【図５】図５は、本発明の第３別実施形態を示す図２と同様の図である。
【発明を実施するための形態】
【００３３】
以下に本発明を実施するための形態を図面に基づいて説明する。本実施形態は、パネル体が開き戸装置のドアとなっている場合であり、図１には、建物内に形成されている壁１に設置されたドア枠２にドア１０がヒンジ３で回動自在に取り付けられている状態が示されており、室外と室内とを仕切る箇所に配置されていて、ドア枠２の内側に形成されている出入口を開閉するこのドア１０には、採光用の窓のための開口部１１と、通気性を確保するための開口部１２とが設けられ、開口部１１には、透明又は半透明のガラス板等による透光部材１３が配置され、開口部１２には、ルーバー１４が配置されている。
【００３４】
図２は、図１のＳ２−Ｓ２線断面図である。ドア１０は、このドア１０の室外側の面を形成している第１表面部材２１と、ドア１０の室内側の面を形成している第２表面部材２２と、ドア１０の表裏両面を形成しているこれらの第１及び第２表面部材２１，２２に採光用の窓のために形成されている開口部１１の内部に、この開口部１１の全部又は略全部を閉塞する閉塞部材として配置された上述の透光部材１３と、第１及び第２表面部材２１，２２の間に配置されているとともに、これらの第１及び第２表面部材２１，２２と結合されて開口部１１の周辺部に配置されている開口部フレーム２３とを含んで構成されており、ドア１０の力骨ともなっているこの開口部フレーム２３は、開口部１１の全周に渡って設けられている。
【００３５】
開口部フレーム２３は、図１に示されているように、正面視で四角形となっている開口部１１のそれぞれの辺部ごとに分割されて形成されたものとしてもよく、あるいは、隣接する２つの辺部に共用されるＬ字状のものとし、これを２個組み合わせることにより、開口部１１の全周に配置してもよい。
【００３６】
図２に示されているように、開口部フレーム２３は、ドア１０の厚さ方向が幅方向となっている本体部２３Ａと、この本体部２３Ａの幅方向のうち、第１表面部材２１側の端部、すなわち、室外側の端部から開口部１１の内側へ屈曲している第１屈曲部２３Ｂと、第２表面部材２２側の端部、すなわち、室内側の端部から開口部１１の外側へ屈曲している第２屈曲部２３Ｃとからなる。第１屈曲部２３Ｂは、第１表面部材２１に沿って開口部１１の内側へ延出していて、第１表面部材２１に接着剤で結合されており、第２屈曲部２３Ｃは、第２表面部材２２に沿って開口部１１の外側へ延出していて、第２表面部材２２に接着剤で結合されている。
【００３７】
開口部１１の下辺部において、開口部フレーム２３の本体部２３Ａには、板状の透光部材１３が受け部材２４を介して載せられている。
【００３８】
第２表面部材２２には、開口部１１の縁部において、ドア１０の厚さ方向内側へ直角又は略直角に延出している延出部２２Ａが形成されており、開口部フレーム２３の本体部２３Ａの一部を覆っているこの延出部２２Ａに、室内側の額縁部材２５が配置され、ドア１０の厚さ方向と直交する断面形状が開口部１１の外側に向かって開口したコ字形状となっていて、金属板の折り曲げ品となっているこの額縁部材２５は、ビス２６により、第２表面部材２２の延出部２２Ａと共に開口部フレーム２３の本体部２３Ａに結合されている。
【００３９】
開口部フレーム２３の第１屈曲部２３Ｂの先端部２３Ｄは、第１表面部材２１における開口部１１の縁部２１Ａと同じ位置又は略同じ位置まで達しており、この第１屈曲部２３Ｂの先端部２３Ｄと、第１表面部材２１における開口部１１の縁部２１Ａとが、室外側の額縁部材３０により挟着されて覆われている。金属板の折り曲げで形成されているこの額縁部材３０は、ドア１０の厚さ方向と直交する断面形状が開口部１１の外側に向かって開口したコ字形状又は略コ字形状となっているため、額縁部材３０は、ドア１０の厚さ方向が幅方向となっているベース部３０Ａと、このベース部３０Ａの幅方向の両端部から開口部１１の外側へ延出している第１及び第２延出部３０Ｂ，３０Ｃとを有し、第１延出部３０Ｂは、ドア１０の厚さ方向外側に設けられた延出部であり、第２延出部３０Ｃは、ドア１０の厚さ方向内側に設けられた延出部である。
【００４０】
また、第１延出部３０Ｂと第２延出部３０Ｃのベース部３０Ａからの延出長さは、同じになっておらず、室外側の延出部となっている第１延出部３０Ｂの延出長さは、室内側の延出部となっている第２延出部３０Ｃの延出長さよりも短くなっている。
【００４１】
さらに、第１延出部３０Ｂの先端部には、開口部１１の内側へ折り返された折り返し部３０Ｄが設けられており、第１延出部３０Ｂと重ね合されているこの折り返し部３０Ｄは、第１延出部３０Ｂと第１表面部材２１との間に配置されている。
【００４２】
図２に示されているように、室内側の額縁部材２５と透光部材１３との間には、室内側のシーリング部材３１が介在配置されており、室外側の額縁部材３０と透光部材１３との間には、室外側のシーリング部材３２が介在配置されている。なお、図２で示されているような乾式のシーリング部材３１，３２ではなく、湿式のシーリング材を用いてもよく、ビードのような乾式のシーリング材を用いてもよい。
【００４３】
開口部１１の全周に渡って設けられる室内側及び室外側の額縁部材２５，３０は、正面視で四角形となっている開口部１１のそれぞれの辺部ごとに分割されて形成されたものとしてもよく、あるいは、隣接する２つの辺部に共用されるＬ字状のものとし、これを２個組み合わせることにより、開口部１１の全周に配置してもよい。
【００４４】
以上の説明から分かるように、室外側の額縁部材３０は、第１屈曲部２３Ｂの先端部２３Ｄと、第１表面部材２１における開口部１１の縁部２１Ａとを挟着して覆っているため、この額縁部材３０は、これらの先端部２３Ｄと縁部２１Ａのための見切り部材ともなっている。このため、表面部材２１には、開口部１１の縁部において、開口部フレーム２３の第１屈曲部２３Ｂの先端部２３Ｄを表面部材２１と共に挟着するために開口部１１の外側へ折り返した折り返し部を設ける必要がなく、これより、大型で高価の折り曲げ装置等を用いた作業を省略でき、開口部１１が設けられたドア１０を製造するための作業の容易化を図ることができるため、ドア１０の製造コストを低減できるようになる。
【００４５】
また、額縁部材３０は、切断機等で切断された金属板を折り曲げることにより形成されるが、ベース部３０Ａから開口部１１の外側へ延出する第１及び第２延出部３０Ｂ，３０Ｃのうち、ドア１０の外部に露出する第１延出部３０Ｂの先端部には、開口部１１の内側へ折り返された折り返し部３０Ｄが設けられ、この折り返し部３０Ｄは、第１延出部３０Ｂと第１表面部材２１との間に配置されているため、額縁部材３０における切断機等で切断された面がドア１０の外部に露出することはなく、このため、ドア１０を利用するうえでの安全性を確保できる。
【００４６】
さらに、第１延出部３０Ｂは、第２延出部３０Ｃよりもベース部３０Ａからの延出長さが短くなっているため、この第１延出部３０Ｂにより隠される第１表面部材２１の面積が小さくなり、外部に露出する第１表面部材２１の面積を大きくできるため、この第１表面部材２１に、ドア１０等に関する表示物（例えば、特定者のみが出入り可能である旨を表示する表示板）や装飾物等を取り付ける際に、これらが取り付け可能となる大きい面積を確保できる。
【００４７】
また、第１延出部３０Ｂが、第２延出部３０Ｃよりもベース部３０Ａからの延出長さが短くなっていることにより、額縁部材３０を開口部１１に圧入作業で装着等する際において、額縁部材３０の取り扱いを容易に行うことができる。
【００４８】
さらに、金属板製となっている額縁部材３０の材料を、ばね性を有するものとしてもよい。これによると、額縁部材３０は、開口部フレーム２３の第１屈曲部２３Ｂの先端部２３Ｄと、第１表面部材２１における開口部１１の縁部２１Ａとを一層有効に挟着するため、開口部１１からの額縁部材３０の脱落をより確実に防止できる。
【００４９】
なお、室外側の額縁部材３０の材料を不燃材とすることにより、ドア１０を防火仕様のものとすることが可能となり、また、第１表面部材２１を、例えば、木目調の模様が表示された表面部材とする場合には、室外側の額縁部材３０も同様の模様が表示された材料で形成することにより、ドア１０の室外側の全体の面についてデザイン性を向上させることができる。
【００５０】
図３は、別実施形態に係る室外側の額縁部材４０を示す。アルミ又はアルミ合金製となっているこの額縁部材４０も、図２の額縁部材３０と同様に、開口部フレーム２３の第１屈曲部２３Ｂの先端部２３Ｄと、第１表面部材２１における開口部１１の縁部２１Ａとを挟着して覆うものとなっているため、ドア１０の厚さ方向と直交する断面形状が開口部１１の外側に向かって開口したコ字形状又は略コ字形状となっており、このため、額縁部材４０は、ドア１０の厚さ方向が幅方向となっているベース部４０Ａと、このベース部４０Ａの幅方向の両端部から開口部１１の外側へ延出している第１及び第２延出部４０Ｂ，４０Ｃとを有し、ドア１０の厚さ方向外側に設けられた第１延出部４０Ｂは、ドア１０の厚さ方向内側に設けられた第２延出部４０Ｃよりもベース部４０Ａからの延出長さが短くなっている。
【００５１】
この実施形態によると、額縁部材４０は、アルミ又はアルミ合金製であるため、額縁部材４０をアルミ又はアルミ合金の押し出し成形又は引き抜き成形により容易かつ安価に製造することができる。
【００５２】
図４は、さらに別実施形態に係る室外側の額縁部材５０を示す。この額縁部材５０も、額縁部材３０，４０と同様に、開口部フレーム２３の第１屈曲部２３Ｂの先端部２３Ｄと、第１表面部材２１における開口部１１の縁部２１Ａとを挟着して覆うものとなっており、このため、ドア１０の厚さ方向と直交する断面形状は開口部１１の外側に向かって開口したコ字形状又は略コ字形状となっており、このため、額縁部材５０は、ドア１０の厚さ方向が幅方向となっているベース部５０Ａと、このベース部５０Ａの幅方向の両端部から開口部１１の外側へ延出している第１及び第２延出部５０Ｂ，５０Ｃとを有し、ドア１０の厚さ方向外側に設けられた第１延出部５０Ｂは、ドア１０の厚さ方向内側に設けられた第２延出部５０Ｃよりもベース部５０Ａからの延出長さが短くなっている。
【００５３】
特に、この実施形態の額縁部材５０は、金属板製の基材５１と、この基材５１の表面を覆っている合成樹脂製の化粧材５２とにより形成されており、基材５１の材料は、ばね性を有するもの、例えば、ステンレスばね鋼であり、化粧材５２は、例えば、ＥＰＤＭ（エチレン・プロピレン・ジエンゴム）やＣＲ（クロロプレンゴム）、シリコン等である。
【００５４】
このため、この実施形態によると、基材５１に錆等が生ずることを化粧材５２により防止することができ、また、額縁部材５０は、ばね性を有する材料で形成された基材５１により、開口部フレーム２３の第１屈曲部２３Ｂの先端部２３Ｄと、第１表面部材２１における開口部１１の縁部２１Ａとを一層有効に挟着するため、開口部１１からの額縁部材５０の脱落をより確実に防止することができる。
【００５５】
また、この実施形態では、図４に示されているように、基材５１における第１及び第２延出部５０Ｂ，５０Ｃの先端面５１Ａ，５１Ｂも化粧材５２により覆われている。このため、基材５１を切断機等で切断された金属板で形成し、基材５１における第１及び第２延出部５０Ｂ，５０Ｃの先端面５１Ａ，５１Ｂが基材５１の切断機等で切断された切断面となっていても、この切断面が外部に露出することは、化粧材５２の覆い作用によって防止することができるため、開口部１１に装着される前の額縁部材５０を安全に取り扱うことができ、また、額縁部材５０を開口部１１に装着した後では、切断面がドア１０の外部に露出することはないため、ドア１０を利用するうえでの安全性を確保できる。
【００５６】
なお、図４において、シーリング材３２を省略し、又はシーリング材３２と一体のものとすることにより、化粧材５２がシーリング材を兼用するようにしてもよい。
【００５７】
図５では、開口部フレーム６３が、ドア１０の厚さ方向が幅方向となっている本体部６３Ａと、この本体部６３Ａの幅方向のうち、第１表面部材２１側の端部から開口部１１の内側へ屈曲している第１屈曲部６３Ｂと、第２表面部材２２側の端部から開口部１１の外側へ屈曲している第２屈曲部６３Ｃとを有するものとなっており、また、第１屈曲部６３Ｂの先端部には、開口部１１の外側へ折り返された折り返し部６３Ｄが設けられている。この折り返し部６３Ｄは、第１表面部材２１における開口部１１の縁部２１Ａを第１屈曲部６３Ｂと共に挟着しており、これにより、開口部フレーム６３は、縁部２１Ａのための見切り部材を兼ねている。
【００５８】
第１及び第２表面部材２１，２２の間に介入されて開口部１１の周辺部に配置される開口部フレームは、この開口部フレーム６０のように形成されたものでもよい。
【産業上の利用可能性】
【００５９】
本発明は、開き戸装置や引き戸装置のための扉、あるいは、固定式や可動式の間仕切りパネル体等のためのパネル体に、採光用や通気用等のための開口部を形成する際に利用することができる。
【符号の説明】
【００６０】
１０  パネル体であるドア
１１  開口部
１３  閉塞部材であるガラス等の透光部材
２１  室外側の表面部材
２１Ａ  縁部
２２  室内側の表面部材
２３  開口部フレーム
２３Ａ  本体部
２３Ｂ  第１屈曲部
２３Ｃ  第２屈曲部
２３Ｄ  先端部
３０，４０，５０  額縁部材
３０Ａ，４０Ａ，５０Ａ  ベース部
３０Ｂ，４０Ｂ，５０Ｂ  第１延出部
３０Ｃ，４０Ｃ，５０Ｃ  第２延出部
３０Ｄ  折り返し部
５１  基材
５１Ａ，５１Ｂ  基材における第１及び第２延出部の先端面
５２  化粧材
【図１】
2018168620.tif 000003
【図２】
2018168620.tif 000004
【図３】
2018168620.tif 000005
【図４】
2018168620.tif 000006
【図５】
2018168620.tif 000007